(57)【要約】【課題】映像表示が必要でないときに無駄な電力を消費しないヘッドマウントディスプレイを提供する。【解決手段】ヘッドマウントディスプレイ本体部に、頭部位置検出器が取り付けられている。これは、例えば、ヘッドホーン３に取り付けられたマイクロスイッチのようなものでよく、支持部２の位置がヘッドホーン３に対して、図１のような位置にあるのか、反対方向にあるのは、それとも頭頂部方向（例えば頭頂部を向いている連結部４の方向に対して±１５°）にあるのかを検出する。映像・音声制御部は、頭部位置検出器からの信号により、表示する映像と出力する音声を、右眼使用時、左眼使用時のものに切り換えると共に、支持部２が頭頂部方向にあるときは、表示部１に表示する映像の表示を停止する。【選択図】  図１
2007258913.tif 000002
【特許請求の範囲】
【請求項１】
映像を表示する表示部と、音声を出力するヘッドホーンを有するヘッドマウントディスプレイであって、前記表示部が支持部に支持され、前記支持部が前記ヘッドマウントディスプレイを頭部に装着する装着部に対して、装着時の頭頂部方向に回動が可能とされているものにおいて、前記表示部が頭頂部にあるとき、映像の表示をオフとする機能を有することを特徴とするヘッドマウントディスプレイ。
【発明の詳細な説明】
【技術分野】
【０００１】
本発明はヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【特許文献１】ＷＯ２００４／０６１５１９Ａ１公報
【発明の開示】
【発明が解決しようとする課題】
【０００４】
このようなヘッドマウントディスプレイは、通常は表示部に表示される映像を見ながら、ヘッドホーンから出力される音声を聞くような使用方法を想定している。しかしながら、使用方法によっては、音声信号のみを聞くために使用される場合がある。このような場合、表示部をオン状態にしておくと、無駄な電力が消費されるという問題点があった。
【０００５】
本発明はこのような事情に鑑みてなされたもので、映像表示が必要でないときに無駄な電力を消費しないヘッドマウントディスプレイを提供することを課題とする。
【課題を解決するための手段】
【０００６】
前記課題は、映像を表示する表示部と、音声を出力するヘッドホーンを有するヘッドマウントディスプレイであって、前記表示部が支持部に支持され、前記支持部が前記ヘッドマウントディスプレイを頭部に装着する装着部に対して、装着時の頭頂部方向に回動が可能とされているものにおいて、前記表示部が頭頂部にあるとき、映像の表示をオフとする機能を有することを特徴とするヘッドマウントディスプレイにより解決される。
【発明の効果】
【０００７】
本発明によれば、映像表示が必要でないときに無駄な電力を消費しないヘッドマウントディスプレイを提供することができる。
【発明を実施するための最良の形態】
【０００８】
以下、本発明の実施の形態の例を、図を用いて説明する。図１は、本発明の実施の形態であるヘッドマウントディスプレイを、左眼用として使用している状態を示す図である。図１（ａ）は、頭部に装着前のヘッドホーン単体を示す図で、映像を表示する表示部１が支持部２の先端に取り付けられ、支持部２は、ヘッドホーン３の片側に対して、矢印方向の回動（回動量は１８０°＋調整代）が可能なように取り付けられている。２つのヘッドホーン３は、連結部４により連結されている。
【０００９】
図１（ｂ）は、このヘッドマウントディスプレイを頭部に装着した様子を示す図である。連結部４を頭頂部から被るようにして装着し、２つのヘッドホーン３を両耳に当てることにより装着する。なお、連結部４の長さが調整できるようになっており、又、連結部４は弾力性を有し、２つのヘッドホーン３を両耳に押し付けて固定する機能を有している。則ち、この例においては、ヘッドホーン３と連結部４が、ヘッドマウントディスプレイを頭部に装着させる装着部となっている。そして、支持部２を回動させ、表示部１を左眼眼前に位置させる。支持部２も伸縮が可能とされており、表示部１と眼の間隔を調整できる。
【００１０】
図２は、左眼用とされているヘッドマウントディスプレイを、右眼用に変えている様子を示す図である。以下の図において、図１に示された構成要素と同じ構成要素には、同じ符号を付してその説明を省略する。図２（ａ）に示すように支持部２をヘッドホーン３の周りに、約１８０度回動させることにより、図２（ｂ）に示すような状態とすれば、右眼用のヘッドホーンとなる。ただし、表示部１に表示される画像の上下左右が、左眼用のときと反転するので、表示画像の調整（上下左右反転）、音声出力の左右反転を行わなければならない。
【００１１】
図３は、このヘッドマウントディスプレイを、右眼用として使用している様子を示す図である。
【００１２】
図４に、このヘッドマウントディスプレイの制御回路の概要のブロック図を示す。再生情報記憶部には、再生する映像情報と音声情報が記憶され、これが、映像・音声再生部によって再生され、それぞれ、ヘッドマウントディスプレイ本体部の映像表示部、音声出力部（ヘッドホーン）に表示される。
【００１３】
操作スイッチは、電源オンオフ、表示コンテンツの変更、表示の一時停止等を行うスイッチであり、映像・音声制御部は、この操作を受けて所定の動作を行う。
【００１４】
映像・音声制御部は、操作スイッチから電源オンオフの信号を受けて電源のオンオフを行うと共に、表示コンテンツの変更、表示の一時停止等を行う。
【００１５】
又、この実施の形態においては、ヘッドマウントディスプレイ本体部に、頭部位置検出器が取り付けられている。これは、例えば、ヘッドホーン３に取り付けられたマイクロスイッチのようなものでよく、支持部２の位置がヘッドホーン３に対して、図１のような位置にあるのか、図３のような位置にあるのか、それとも、支持部２が、頭頂部方向（例えば頭頂部を向いている連結部４の方向に対して±１５°）にあるのかを検出する。映像・音声制御部は、頭部位置検出器からの信号により、表示する映像と出力する音声を、右眼使用時、左眼使用時のものに切り換えると共に、支持部２が頭頂部方向にあるときは、表示部１に表示する映像の表示を停止する。
【００１６】
よって、支持部２を頭頂部付近に置き、ヘッドマウントディスプレイを単なるヘッドホーンとして使用しているような場合には、映像の表示が停止され、無駄な電力の供給が行われなくなる。
【００１７】
なお、以上の実施の形態は、使用する眼の左右を切り換え可能なヘッドマウントディスプレイであったが、本発明はこのようなものに限られず単に、支持部を頭頂部方向に回動させて眼の前から待避させる方式のヘッドマウントディスプレイにも適用が可能である。
【００１８】
なお、上記の例は、映像・音声制御部は、頭部位置検出器からの信号により、表示する映像と出力する音声を、右眼使用時、左眼使用時のものに切り換える機能を有していたが、別に操作スイッチを設け、この操作スイッチにより、表示する映像と出力する音声を、右眼使用時、左眼使用時のものに切り換えるようにしてもよい。
【００１９】
図５は、本発明の実施の形態の１例であるヘッドマウントディスプレイであって、左右のヘッドホーンの音声切り替えを行うものの使用方法を示す図である。以上説明したヘッドマウントディスプレイのように、左目用と右目用に切り替えて使用するタイプのヘッドマウントディスプレイにおいては、表示部が連結部に収納されている（待避）状態のヘッドマウントディスプレイを装着して、映像を出力させずに音声のみを鑑賞すると、左右の耳に流れる音声が、逆になる場合がある。
【００２０】
このような場合には、２つのヘッドホーンに出力される音声を互いに切り替えるような切り替えスイッチを設けておけば、左右の耳の正しい側に、対応するステレオ音声を出力することができる。図５は、ヘッドマウントディスプレイが左目用として装着されている場合と、右目用として装着されている場合の、退避時（音楽のみを聴く場合）と、映像と音楽を視聴する場合の、切り替えスイッチの位置と作動を示すものである。
【００２１】
このように、左右が切り替え可能な単眼式ヘッドマウントディスプレイにおいては、音声の左右切り替えスイッチを設けることが特に重要である。
【図面の簡単な説明】
【００２２】
【図１】本発明の実施の形態であるヘッドマウントディスプレイを、左眼用として使用している状態を示す図である。
【図２】左眼用とされているヘッドマウントディスプレイを、右眼用に変えている様子を示す図である。
【図３】図１に示したヘッドマウントディスプレイを、右眼用として使用している様子を示す図である。
【図４】本発明の実施の形態の１例であるヘッドマウントディスプレイの制御回路の概要のブロック図を示す図である。
【図５】本発明の実施の形態の１例であるヘッドマウントディスプレイであって、左右のヘッドホーンの音声切り替えを行うものの使用方法を示す図である。
【符号の説明】
【００２３】
１…表示部、２…支持部、３…ヘッドホーン、４…連結部
【図１】
2007258913.tif 000003
【図２】
2007258913.tif 000004
【図３】
2007258913.tif 000005
【図４】
2007258913.tif 000006
【図５】
2007258913.tif 000007